(57)【要約】  【課題】扉閉時に表示器をオフする冷蔵庫においては、扉開閉検知手段の故障時には扉が開いたときにも表示器が消灯してしまい、表示内容を確認できなかった。  【解決手段】扉開閉判定手段１３、表示器点灯時間決定手段１４、表示器点灯時間調整手段１５、表示内容決定手段１６を備えた制御手段１２と、扉開閉検出手段１１とを備え、扉の閉状態時に表示器１７の表示を一定時間毎に点灯と消灯を繰り返すとすることにより、扉開閉検知手段の故障時にも設定温度や運転状態を確認することができるものである。【選択図】図１
2006336964.tif 000002
【特許請求の範囲】
【請求項１】
貯蔵室内に設定温度や運転状態を表示する表示器を有する冷蔵庫において、前記表示器が設置された貯蔵室の扉の閉状態時に、前記表示器の表示を一定時間毎に点灯と消灯を繰り返す制御手段を備えた冷蔵庫の制御装置。
【請求項２】
前記制御手段は、扉の閉状態時の点灯間隔について、点灯時間が消灯時間より短いことを特徴とする請求項１に記載の冷蔵庫の制御装置。
【請求項３】
扉が閉じられてから一定時間後に前記表示器の表示を点灯と消灯を繰り返す制御を行う請求項１または２に記載の冷蔵庫の制御装置。
【請求項４】
扉が閉じられている時に前記表示器の表示内容の一部の表示を一定時間毎に点灯と消灯を繰り返す請求項１または２に記載の冷蔵庫の制御装置。
【請求項５】
自己診断表示モードを有し、異常表示が行われている状態中は前記表示器の表示を連続点灯する請求項１または２に記載の冷蔵庫の制御装置。
【請求項６】
サービス用の特殊表示モードを有し、特殊表示が行われている状態中は前記表示器の表示を連続点灯する請求項１または２に記載の冷蔵庫の制御装置。
【発明の詳細な説明】
【技術分野】
【０００１】
本発明は、貯蔵室内に設定温度や運転状態を表示する表示器を有する冷蔵庫の制御装置に関するものである。
【背景技術】
【０００２】
従来この種の冷蔵庫においては貯蔵室内に設定温度や運転状態を表示する表示器を備えており、扉の開閉により表示をオンオフ制御制御する方法が提案されている（例えば、特許文献１参照）。
【０００３】
図８は特許文献１に記載された従来の冷蔵庫の制御装置を示すものである。図８に示すように、表示装置１と、表示灯スイッチ２と、ドアスイッチ３と、制御部４により構成されている。
【０００４】
以上のように構成された冷蔵庫の制御装置について、以下その動作を説明する。
【０００５】
扉が閉じている場合には、ドアスイッチ３より、制御部４に扉が閉じている場合の信号が入力され、表示灯スイッチ２をオフすることにより、表示装置１の表示をオフする。扉が開いた場合にはドアスイッチ３より、制御部４に扉が開いている場合の信号が入力され、表示灯スイッチ２をオンすることにより、表示装置１の表示をオンする。
【特許文献１】特開平９−２６４６５９号公報
【発明の開示】
【発明が解決しようとする課題】
【０００６】
しかしながら、上記従来の構成では、扉開閉検知手段の故障時には扉が開いたときにも表示器が消灯してしまい、表示内容を確認できないという課題を有していた。
【０００７】
また、扉開閉検知手段の故障時には、表示器が消灯するとともに、庫内灯も消灯状態になるため、電源遮断による消灯か、扉開閉検知手段の故障か判別がつかないという課題を有していた。
【０００８】
本発明は上記従来の課題を解決するもので、扉閉時の消費電力を抑えながら、扉開閉検知手段の故障時にも表示器の表示内容を確認でき、扉開閉検知手段の故障の判別が容易な冷蔵庫を提供することを目的とする。
【課題を解決するための手段】
【０００９】
上記従来の課題を解決するために、本発明の冷蔵庫の制御装置は、表示器が設置された貯蔵室の扉の閉状態時に、表示器の表示を一定時間毎に点灯と消灯を繰り返すとしたものである。
【００１０】
これによって扉が閉状態において表示器の表示を消灯するのではなく、一定時間毎に点灯させることができる。
【００１１】
また、本発明の冷蔵庫の制御装置は、扉の閉状態時の点灯間隔について、点灯時間が消灯時間が短いものとしたものである。
【００１２】
これによって扉が閉状態において表示器よる消費電力を抑えることができる。
【００１３】
また、本発明の冷蔵庫は、扉が閉じられてから一定時間後に、表示を一定時間毎に点灯と消灯を繰り返すものである。
【００１４】
これによって扉が閉状態になった直後に表示器の表示を消灯するのではなく、一定時間経過後に一定時間毎に点灯と消灯を繰り返すことができる。
【００１５】
また、本発明の冷蔵庫は、扉が閉じられている時に表示内容の一部の表示を一定時間毎に点灯と消灯を繰り返すとしたものである。
【００１６】
これによって扉が閉状態において、表示器の全表示内容を消灯するのではなく、一部の表示を一定時間毎に点灯と消灯を繰り返すことができる。
【００１７】
また、本発明の冷蔵庫は、自己診断表示モードを有し、異常表示が行われている状態中は表示器の表示を連続点灯するとしたものである。
【００１８】
これによって扉が閉状態においても、自己診断表示モードでは表示を連続点灯することができる。
【００１９】
また、本発明の冷蔵庫は、サービス用の特殊表示モードを有し、特殊表示が行われている状態中は表示器の表示を連続点灯するとしたものである。
【００２０】
これによって扉が閉状態においても、サービス用の特殊表示モードでは表示を連続点灯することができる。
【発明の効果】
【００２１】
本発明の冷蔵庫の制御装置は、扉が閉状態にあると検知された場合に、表示器を一定時間毎に点灯と消灯を繰り返して消費電力の低減を図りながら、扉開閉検知手段の故障時にも設定温度や運転状態を確認することができるとともに、扉開閉検知手段の故障の判別が容易となる。
【００２２】
また、本発明の冷蔵庫の制御装置は、扉が閉められてからすぐに開けられる場合においては一定時間毎の点灯と消灯の繰り返しを行わず、使用者に表示状態が変化することによる不安感を感じさせないことができる。
【００２３】
また、本発明の冷蔵庫の制御装置は、使用者が確認することが少ない表示内容は一定時間毎に点灯と消灯を繰り返して消費電力の低減を図るとともに、確認することが多い表示内容については連続点灯したままとすることができ、表示内容の確認が容易となる。
【００２４】
また、本発明の冷蔵庫の制御装置は、異常時には扉の開閉状態に関わらず、表示が連続点灯されているので、使用者に異常を伝えやすくなる。
【００２５】
また、本発明の冷蔵庫の制御装置は、サービス時には扉の開閉状態に関わらず、表示が連続点灯されているので、特殊表示の内容を確認し易くなる。
【発明を実施するための最良の形態】
【００２６】
請求項１に記載の発明は、扉開閉検出手段と、表示器点灯時間調整手段を備えた制御手段と、貯蔵室内に設置された表示器を備え、前記制御手段は表示器が設置された貯蔵室の扉が閉状態にあると検知された場合に、表示器の表示を一定時間毎に点灯と消灯を繰り返すことにより、表示器による消費電力の低減を図りながら、扉開閉検知手段の故障時にも表示内容を確認することができるとともに、扉開閉検知手段の故障の判別が容易となる。
【００２７】
請求項２に記載の発明は、請求項１に記載の発明において、扉の閉状態時の点灯間隔について、点灯時間を消灯時間より短くすることにより、表示器による消費電力のより効果的な低減を図りながら、扉開閉検知手段の故障時にも表示内容を確認することができるとともに、扉開閉検知手段の故障の判別が容易となる。
【００２８】
請求項３に記載の発明は、請求項１または２に記載の発明において、扉が閉じられてから一定時間後に前記表示器の表示を点灯と消灯を繰り返すことにより、扉が閉状態になった直後に表示器の表示を消灯するのではなく、一定時間後に点灯と消灯を繰り返すことができ、扉が閉められてからすぐに開けられる場合においては使用者に表示状態が変化することによる不安感を感じさせないことができる。
【００２９】
請求項４に記載の発明は、請求項１または２に記載の発明において、扉が閉じられている時に表示内容の一部の表示を一定時間毎に点灯と消灯を繰り返すことにより、表示器の全表示内容を消灯するのではなく、確認することが多い表示内容については連続点灯したままとすることができ、表示内容の確認が容易となる。
【００３０】
請求項５に記載の発明は、請求項１または２に記載の発明において、自己診断表示モードを有し、異常表示が行われている状態中は前記表示器の表示を連続点灯することにより、異常時には扉の開閉状態に関わらず、表示器が連続点灯されているので、使用者に異常を伝えやすくなる。
【００３１】
請求項６に記載の発明は、請求項１または２に記載の発明において、サービス用の特殊表示モードを有し、特殊表示が行われている状態中は前記表示器の表示を連続点灯することにより、扉が閉状態においても、サービス用の特殊表示モードでは扉の開閉状態に関わらず、表示器が連続点灯されているので、特殊表示の内容を確認し易くなる。
【００３２】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００３３】
（実施の形態１）
図１は、本発明の実施の形態１における冷蔵庫の制御装置の制御ブロック図である。
【００３４】
図１において、扉開閉検出手段１１は扉の開閉状態に応じた信号を出すものであり、例えばメカニカルスイッチやホールＩＣにて構成され、制御手段１２内の扉開閉判定手段１３にて扉の開閉状態が判定される。制御手段１２内の表示器点灯時間決定手段１４は扉開閉判定手段１３による扉の開閉状態により、表示器１７の点灯時間を決定し、表示器点灯時間調整手段１５により表示器１７の点灯時間の調整を行い、扉が閉状態にあるときは、表示器１７を一定時間毎に点灯と消灯を繰り返させる。点灯間隔は消費電力の抑制の効果を得るために、例えば点灯時間が消灯時間より短くなるよう、点灯時間を０．３秒、消灯時間を３秒とする。制御手段１２内の表示内容決定手段１６は冷蔵庫の設定温度および運転状態により表示器１７への表示内容を決定するものである。また、制御手段１２内の庫内灯点灯決定手段１８は扉開閉判定手段１３による扉の開閉状態により、扉が開状態と判定された場合に、庫内灯駆動回路１９に信号を送り、庫内灯２０を点灯させる。
【００３５】
図２は、本発明の実施の形態１における冷蔵庫の斜視図である。冷蔵庫本体２１の貯蔵室２２内に表示器１７が取り付けられており、使用者は扉を開けて、表示器に表示された冷蔵庫の設定温度および運転状態を確認する。また、貯蔵室下に扉開閉検出手段１１が取り付けられ、貯蔵室の扉の開閉を検知する。また、貯蔵室内上部に庫内灯２０が取り付けられており、扉が開状態と検知された場合に点灯し、閉状態と検知された場合には消灯する。
【００３６】
図３は、本発明の実施の形態１における冷蔵庫の制御装置のフローチャートである。
【００３７】
以上のように構成された冷蔵庫の制御装置について、以下、図１と図３を用いて動作、作用を説明する。
【００３８】
まず制御手段１２は扉開閉検出手段１１からの信号により、扉の開閉状態を判断する（ステップ１０１）。
【００３９】
扉が開かれているときには連続点灯で表示処理を実行する（ステップ１０２）。これにより扉が開けられた状態では使用者が確認しやすい表示を行う。
【００４０】
扉が閉められているときには一定時間毎に点灯と消灯を繰り返す表示処理を実行する（ステップ１０３）。これにより、表示器１７による消費電力を抑える制御を行う。
【００４１】
また、扉が開状態時に庫内灯２０が消灯状態にある場合において、表示器１７が一定時間毎に点灯と消灯を繰り返していれば、扉開閉検出手段１１の故障が考えられ、表示器１７が連続して消灯あれば、制御手段１２もしくは電源の故障が考えられる。
【００４２】
以上のように、本実施の形態では扉が閉状態時に表示を一定時間毎に点灯と消灯を繰り返すことにより、扉が開状態では、連続点灯により冷蔵庫の設定温度および運転状態を容易に確認することができ、閉状態では、省エネルギー化を図れるとともに、扉開閉検出手段の故障時にも表示器の表示内容を確認することができる。また、扉が開状態時に庫内灯が消灯状態にあるときは、扉開閉検出手段の故障を判別できる。
【００４３】
（実施の形態２）
図４は、本発明の実施の形態２における冷蔵庫の制御装置のフローチャートである。以下、図１と図４を用いて動作、作用を説明する。
【００４４】
まず制御手段１２は扉開閉検出手段１１からの信号により、扉の開閉状態を判断する（ステップ１０１）。
【００４５】
扉が開かれているときには連続点灯で表示処理を実行する（ステップ１０２）。これにより扉が開けられた状態では使用者が確認しやすい表示を行う。
【００４６】
扉が閉められているときには、扉が閉められてからの時間を判定し（ステップ１０４）、Ｔ秒以内であれば、連続点灯で表示処理を実行する（ステップ１０２）。これにより扉が閉状態になった直後に表示器の表示を消灯するのではなく、一定時間後に、点灯と消灯を繰り返す表示処理に移行させることができる。
【００４７】
扉が閉められているときで、扉が閉められてからの時間がＴ秒以上であれば、一定時間毎に点灯と消灯を繰り返す表示処理を実行する（ステップ１０３）。これにより、表示器１７による消費電力を抑える制御を行う。
【００４８】
以上のように、本実施の形態では表示器の扉開閉状態により点灯状態を切り替えるとともに、扉が閉められてからすぐに開けられる場合においては点灯と消灯を繰り返す表示処理を行わず、使用者に表示状態が変化することによる不安感を感じさせないことができる。
【００４９】
（実施の形態３）
図５は、本発明の実施の形態３における冷蔵庫の制御装置のフローチャートである。以下、図１と図５を用いて動作、作用を説明する。
【００５０】
まず制御手段１２は扉開閉検出手段１１からの信号により、扉の開閉状態を判断する（ステップ１０１）。
【００５１】
扉が開かれているときには連続点灯で表示処理を実行する（ステップ１０２）。これにより扉が開けられた状態では使用者が確認しやすい表示を行う。
【００５２】
扉が閉められているときには、表示内容の一部の特定箇所かを判断する（ステップ１０５）。特定箇所であれば連続点灯で表示処理を実行する（ステップ１０２）。また、特定箇所でない場合は一定時間毎に点灯と消灯を繰り返す表示処理を実行する（ステップ１０３）。
【００５３】
以上のように、本実施の形態では、扉が閉じられている時に前記表示器の表示内容の一部の表示について点灯と消灯を繰り返す表示処理を実行させることにより、扉が閉状態において、表示器の全表示内容を消灯するのではなく、使用者が確認することが少ない表示内容は一定時間毎に点灯と消灯を繰り返し消費電力の低減を図るとともに、確認することが多い表示内容については連続点灯とすることができ、表示内容の確認が容易となる。
【００５４】
（実施の形態４）
図６は、本発明の実施の形態４における冷蔵庫の制御装置のフローチャートである。以下、図１と図６を用いて動作、作用を説明する。
【００５５】
まず制御手段１２は扉開閉検出手段１１からの信号により、扉の開閉状態を判断する（ステップ１０１）。
【００５６】
扉が開かれているときには連続点灯で表示処理を実行する（ステップ１０２）。これにより扉が開けられた状態では使用者が確認しやすい表示を行う。
【００５７】
扉が閉められているときには、表示内容が自己診断による表示内容かを判断する（ステップ１０６）。自己診断による表示であれば連続点灯で表示処理を実行する（ステップ１０２）。また、自己診断による表示でない場合は一定時間毎に点灯と消灯を繰り返す表示処理を実行する（ステップ１０３）。
【００５８】
以上のように、本実施の形態では、自己診断表示モードを有し、異常表示が行われている状態中は前記表示器の表示を連続点灯することにより、扉が閉状態においても自己診断表示モードでは連続点灯とするができ、異常時には扉の開閉状態に関わらず、使用者に異常を伝えやすくなる。
【００５９】
（実施の形態５）
図７は、本発明の実施の形態５における冷蔵庫の制御装置のフローチャートである。以下、図１と図７を用いて動作、作用を説明する。
【００６０】
まず制御手段１２は扉開閉検出手段１１からの信号により、扉の開閉状態を判断する（ステップ１０１）。
【００６１】
扉が開かれているときには連続点灯で表示処理を実行する（ステップ１０２）。これにより扉が開けられた状態では使用者が確認しやすい表示を行う。
【００６２】
扉が閉められているときには、表示内容がサービス時の特殊表示による表示内容かを判断する（ステップ１０７）。サービス時の特殊表示による表示であれば連続点灯で表示処理を実行する（ステップ１０２）。また、サービス時の特殊表示による表示でない場合は一定時間毎に点灯と消灯を繰り返す表示処理を実行する（ステップ１０３）。
【００６３】
以上のように、本実施の形態では、サービス用の特殊表示モードを有し、特殊表示が行われている状態中は前記表示器の表示を連続点灯とすることにより、扉が閉状態においても、サービス用の特殊表示モードでは表示を連続点灯とすることができ、サービス時には扉の開閉状態に関わらず、特殊表示の内容を確認し易くなる。
【産業上の利用可能性】
【００６４】
以上のように、本発明にかかる冷蔵庫の制御装置は、扉が閉状態にあると検知された場合に表示器を一定時間毎に点灯と消灯を繰り返すことにより消費電力の低減を図るとともに、扉開閉検知手段の故障時にも表示内容を確認することが可能となるので、使用者が情報表示を必要とする時間が機器の動作時間よりみると短い機器において消費電力の低減を図りたい用途に適用できる。
【図面の簡単な説明】
【００６５】
【図１】本発明による実施の形態１の冷蔵庫の制御装置の制御ブロック図
【図２】同実施の形態の冷蔵庫の斜視図
【図３】同実施の形態の冷蔵庫の制御装置のフローチャート
【図４】本発明による実施の形態２の冷蔵庫の制御装置のフローチャート
【図５】本発明による実施の形態３の冷蔵庫の制御装置のフローチャート
【図６】本発明による実施の形態４の冷蔵庫の制御装置のフローチャート
【図７】本発明による実施の形態５の冷蔵庫の制御装置のフローチャート
【図８】従来の冷蔵庫の制御回路図
【符号の説明】
【００６６】
１１  扉開閉検出手段
１２  制御手段
１３  扉開閉判定手段
１４  表示器点灯時間決定手段
１５  表示器点灯時間調整手段
１６  表示内容決定手段
１７  表示器
１８  庫内灯点灯決定手段
１９  庫内灯駆動回路
２０  庫内灯
２１  冷蔵庫本体
２２  貯蔵室
【図１】
2006336964.tif 000003
【図２】
2006336964.tif 000004
【図３】
2006336964.tif 000005
【図４】
2006336964.tif 000006
【図５】
2006336964.tif 000007
【図６】
2006336964.tif 000008
【図７】
2006336964.tif 000009
【図８】
2006336964.tif 000010